(57)【要約】【課題】比較的浅い埋込み深さで十分な引張り耐力を発揮させることができる先付けアンカー用のアンカーボルトを提供する。【解決手段】コンクリート１２に定着される先付けアンカー用のアンカーボルト１１Ａであって、コンクリート１２から露出する部分に支持・固定対象物用の取付け部２２を有するシャンク部２１と、シャンク部２１の先端側に設けられ、コンクリート１２に対し定着機能を奏する定着部２３と、シャンク部２１に対するコンクリート１２の付着力を弱めるために、シャンク部２１の外周面に設けられた付着弱化部２４と、を備えたものである。【選択図】  図１
2018021433.tif 000002
【特許請求の範囲】
【請求項１】
コンクリートに定着される先付けアンカー用のアンカーボルトであって、
前記コンクリートから露出する部分に支持・固定対象物用の取付け部を有するシャンク部と、
前記シャンク部の先端側に設けられ、前記コンクリートに対し定着機能を奏する定着部と、
前記シャンク部に対する前記コンクリートの付着力を弱めるために、前記シャンク部の外周面に設けられた付着弱化部と、を備えたことを特徴とする先付けアンカー用のアンカーボルト。
【請求項２】
前記付着弱化部が、前記シャンク部に付着すると共に、離型剤層、フッ素樹脂層、メッキ層、油膜層、ワックス層および塗膜層のいずれかで構成された、付着弱化層であることを特徴とする請求項１に記載の先付けアンカー用のアンカーボルト。
【請求項３】
前記付着弱化部が、前記シャンク部を覆うと共に、スリーブ状部材およびテープ状部材のいずれかで構成された、被覆体あることを特徴とする請求項１に記載の先付けアンカー用のアンカーボルト。
【請求項４】
前記シャンク部が、内周面に前記取付け部である雌ネジ部を有するインサート本体で構成されていることを特徴とする請求項１ないし３のいずれか一項に記載の先付けアンカー用のアンカーボルト。
【請求項５】
前記定着部が、前記コンクリートの表面と平行な面内における断面積が、前記シャンク部より大きいヘッド部で構成されていることを特徴とする請求項１ないし４のいずれか一項に記載の先付けアンカー用のアンカーボルト。
【請求項６】
前記定着部が、前記シャンク部の先端部から延び、「Ｕ」字状および「Ｌ」字状のいずれかの形状に形成された折曲げ部であることを特徴とする請求項１ないし４のいずれか一項に記載の先付けアンカー用のアンカーボルト。
【請求項７】
相互に離間して配設された複数の前記シャンク部を備え、
前記定着部は、前記複数のシャンク部の先端側に取り付けられた単一のシアプレートで構成されていることを特徴とする請求項１ないし６のいずれか一項に記載の先付けアンカー用のアンカーボルト。
【請求項８】
コンクリートに定着される先付けアンカー用のアンカーボルトであって、
前記コンクリートから露出する部分に支持・固定対象物用の取付け部を有するシャンク部と、
前記シャンク部の先端側に設けられ、前記コンクリートに対し定着機能を奏する定着部と、を備え、
前記シャンク部は、前記コンクリートの表面に対応する位置から前記定着部に向かって先細りの、テーパー部を有していることを特徴とする先付けアンカー用のアンカーボルト。
【請求項９】
コンクリートに定着される先付けアンカー用のアンカーボルトであって、
前記コンクリートから露出する部分に支持・固定対象物用の取付け部を有するシャンク部と、
前記シャンク部の先端側に設けられ、前記コンクリートに対し定着機能を奏する定着部と、
前記シャンク部が挿通すると共に、前記コンクリートの表面から奥に向かって延び、先端部が前記定着部に突き当てられるスリーブ部と、を備えたことを特徴とする先付けアンカー用のアンカーボルト。
【請求項１０】
コンクリートに定着される先付けアンカー用のアンカーボルトであって、
前記コンクリートから露出する部分に支持・固定対象物用の取付け部を有するシャンク部と、
前記シャンク部が挿通すると共に、前記コンクリートの表面から奥に向かって延び、前記コンクリートに対し定着機能を奏する筒状のアンカーリング部と、を備え、
前記アンカーリング部は、先端部で前記シャンク部に接合されていることを特徴とする先付けアンカー用のアンカーボルト。
【請求項１１】
前記接合が、ネジ接合および溶着接合のいずれかであることを特徴とする請求項１０に記載の先付けアンカー用のアンカーボルト。
【請求項１２】
コンクリートに定着される先付けアンカー用のアンカーボルトであって、
支持・固定対象物を取り付けるための表面が前記コンクリートから露出するベースプレートと、
それぞれの基端側が前記ベースプレートの下面に固着され、相互に離間して配設された複数のシャンク部と、
前記各シャンク部の先端側に設けられ、前記コンクリートに対し定着機能を奏する複数の定着部と、
前記シャンク部に対する前記コンクリートの付着力を弱めるために、前記各シャンク部に設けられた付着弱化部と、を備えたことを特徴とする先付けアンカー用のアンカーボルト。
【請求項１３】
コンクリートに定着される先付けアンカー用のアンカーボルトであって、
前記コンクリートから露出する部分に支持・固定対象物用の取付け部を有するシャンク部と、
内周面に前記シャンク部が螺合すると共に、前記コンクリートの表面から奥に向かって延び、前記コンクリートに対し定着機能を奏する筒状のアンカーリング部と、を備え、
前記アンカーリング部は、引張り破断に至る伸び率が８％以下であることを特徴とする先付けアンカー用のアンカーボルト。
【請求項１４】
コンクリートに定着される先付けアンカー用のアンカーボルトであって、
前記コンクリートから露出する部分に支持・固定対象物用の取付け部を有すると共に、少なくともコンクリートに埋め込まれる埋込み部の引張り破断に至る伸び率が８％以下であることを特徴とする先付けアンカー用のアンカーボルト。
【発明の詳細な説明】
【技術分野】
【０００１】
本発明は、コンクリートの打設時に埋め込まれる先付けアンカー用のアンカーボルトに関する。
【背景技術】
【０００２】
従来、この種の先付けアンカー用のアンカーボルトとして、基端側にネジ山を有する「Ｌ」字状のアンカーボルトが知られている（特許文献１参照）。
このアンカーボルトは、コンクリートへの定着性を高めるべく「Ｌ」字状に形成されている。アンカーボルトのコンクリートへの埋込みでは、アンカーボルト埋設用部材を用いてアンカーボルトを型枠部材に固定し、コンクリートを打設するようにしている。コンクリートが硬化した後、アンカーボルト埋設用部材および型枠部材を撤去することで、アンカーボルトが、コンクリートの目的の位置に埋設固定された状態となる。
【先行技術文献】
【特許文献】
【０００３】
【特許文献１】特開２００３−３４３０１７号公報
【発明の概要】
【発明が解決しようとする課題】
【０００４】
ところで、この種の先付けアンカー（アンカーボルト）では、引張り力に対しコンクリートは脆性的に挙動し、アンカーボルトは靱性的に挙動する。すなわち、コンクリートに埋め込まれたアンカーボルトに引張り力が作用すると、脆性的に挙動するコンクリートは伸びることがないが、靱性的に挙動するアンカーボルトには伸びが生ずる。
一方で、アンカーボルトとコンクリートの間には、所定の付着力が作用している。このため、アンカーボルトに作用する引張り力は、アンカーボルトの伸びにより当初、コンクリートの表面付近に集中的に作用する。このとき、付着力が勝って、コンクリートの浅い部分に微小な破壊（亀裂）が生ずる。このような微小な破壊により、引張り力の集中部分が徐々に奥に進んでゆき、微小な破壊も奥側に重畳的に進んでゆく（以下、これを「重畳破壊」という）。もっとも、実際の施工現場における重畳破壊は、振動等を受けて経時的に徐々に進行してゆくものと思われる。
このような重畳破壊が進むと、アンカーボルトは、実質上、コンクリートに浅く埋め込んだものと同等な状態となり、設計上の引張り耐力を発揮しないものとなる。このため、現状では、アンカーボルトを深く埋め込むことが奨励されている。
【０００５】
本発明は、上記の知見に基づいて為されたものであり、比較的浅い埋込み深さで十分な引張り耐力を発揮させることができる先付けアンカー用のアンカーボルトを提供することを課題としている。
【課題を解決するための手段】
【０００６】
本発明の先付けアンカー用のアンカーボルトは、コンクリートに定着される先付けアンカー用のアンカーボルトであって、コンクリートから露出する部分に支持・固定対象物用の取付け部を有するシャンク部と、シャンク部の先端側に設けられ、コンクリートに対し定着機能を奏する定着部と、シャンク部に対するコンクリートの付着力を弱めるために、シャンク部の外周面に設けられた付着弱化部と、を備えたことを特徴とする。
【０００７】
この構成によれば、シャンク部および定着部がコンクリートに埋め込まれた状態で、シャンク部に引張り力（引抜き力）が作用すると、シャンク部に設けた付着弱化部により、引張り力は、主にシャンク部の先端側に設けた定着部に集中的に作用する。このため、コンクリートの浅い部分（表面側）に破壊に至るような引張り力が作用することがなく、アンカーボルトは、コンクリートに対し定着部の部分でクサビ効果を発揮する。したがって、従来のものに比して浅い埋込み深さで、十分な引張り耐力を発揮させることができる。また、シャンク部は、引張り力に応じて伸びるため、機器・器具（構造物）の支持に有用なシャンク部の靱性が損なわれることはない。
なお、シャンク部の埋込み部分は、外周面が凹凸のないものとすることが好ましい。また、シャンク部と定着部とは、一体であってもよいし、別体（ネジ接合等）であってもよい。さらに、「付着力を弱める」は、「付着力ゼロまで弱める」をも含む概念である。
【０００８】
この場合、付着弱化部が、シャンク部に付着すると共に、離型剤層、フッ素樹脂層、メッキ層、油膜層、ワックス層および塗膜層のいずれかで構成された、付着弱化層であることが好ましい。
【０００９】
この構成によれば、付着弱化層は、シャンク部の外周面に塗着させるだけで、シャンク部に対するコンクリートの付着力を効果的に弱めることができる。
【００１０】
同様に、付着弱化部が、シャンク部を覆うと共に、スリーブ状部材およびテープ状部材のいずれかで構成された、被覆体あることが好ましい。
【００１１】
この構成によれば、被覆体により、コンクリートとシャンク部とが直接接触するのを防止することができると共に、被覆体の破壊や変形等により、シャンク部に対するコンクリートの付着力を効果的に弱めることができる。
なお、スリーブ状部材は、熱収縮チューブを含む各種のチューブやフィルムであることが好ましく、テープ状部材は、ビニールテープやマスキングテープ等の各種の粘着テープであることが好ましい。特に、樹脂製のチューブ等にあっては、ポリエチレン、ポリプロピレン、ナイロン、フッ素樹脂等であることが好ましい。
【００１２】
また、シャンク部が、内周面に取付け部である雌ネジ部を有するインサート本体で構成されていることが好ましい。
【００１３】
この構成によれば、インサート本体および定着部がコンクリートに埋め込まれた状態で、インサート本体に引張り力（引抜き力）が作用すると、インサート本体に設けた付着弱化部により、引張り力は、主にインサート本体の先端側に設けた定着部に集中的に作用する。このため、コンクリートの浅い部分（表面側）に破壊に至るような引張り力が作用することがなく、アンカーボルトは、コンクリートに対し定着部の部分でクサビ効果を発揮する。したがって、従来のものに比して浅い埋込み深さで、十分な引張り耐力を発揮させることができる。また、インサート本体は、引張り力に応じて伸びるため、機器・器具（構造物）の支持に有用なインサート本体の靱性が損なわれることはない。
【００１４】
一方、定着部が、コンクリートの表面と平行な面内における断面積が、シャンク部より大きいヘッド部で構成されていることが好ましい。
【００１５】
この構成によれば、定着力を効果的に発揮する定着部を、簡単に構成することができる。
なお、ヘッド部は、円形のもの（扁平円柱状）の他、三角形、四角形、多角形のものであってもよい。また、ヘッド部は、シャンク部の先端部に螺合したナット状の部材であってもよい。
【００１６】
同様に、定着部が、シャンク部の先端部から延び、「Ｕ」字状および「Ｌ」字状のいずれかの形状に形成された折曲げ部であることが好ましい。
【００１７】
この構成によれば、棒状の素材を適宜、折り曲げるだけで、定着力を効果的に発揮する定着部を、簡単に構成することができる。  
なお、シャンク部は、外周面が凹凸のないものとすることが好ましいが、定着部においては、外周面に凹凸を設けてもよい。
【００１８】
また、相互に離間して配設された複数のシャンク部を備え、定着部は、複数のシャンク部の先端側に取り付けられた単一のシアプレートで構成されていることが好ましい。
【００１９】
この構成によれば、複数のシャンク部およびシアプレートがコンクリートに埋め込まれた状態で、各シャンク部に引張り力（引抜き力）が作用すると、シャンク部に設けた付着弱化部により、引張り力は、主にシャンク部の先端側に設けたシアプレートに集中的に作用する。このため、コンクリートの浅い部分（表面側）に破壊に至るような引張り力が作用することがなく、アンカーボルトは、コンクリートに対しシアプレートの部分でクサビ効果を発揮する。したがって、従来のものに比して浅い埋込み深さで、十分な引張り耐力を発揮させることができる。また、各シャンク部は、引張り力に応じて伸びるため、機器・器具（構造物）の支持に有用なシャンク部の靱性が損なわれることはない。
なお、シアプレートの平面形状は任意である。
【００２０】
本発明の他の先付けアンカー用のアンカーボルトは、コンクリートに定着される先付けアンカー用のアンカーボルトであって、コンクリートから露出する部分に支持・固定対象物用の取付け部を有するシャンク部と、シャンク部の先端側に設けられ、コンクリートに対し定着機能を奏する定着部と、を備え、シャンク部は、コンクリートの表面に対応する位置から定着部に向かって先細りの、テーパー部を有していることを特徴とする。
【００２１】
この構成によれば、シャンク部および定着部がコンクリートに埋め込まれた状態で、シャンク部に引張り力（引抜き力）が作用すると、シャンク部のテーパー部には、コンクリートから離れる（引き剥がされる）方向に力が作用する。このため、テーパー部に接触する部分のコンクリートの付着力は、極端に弱くなる。すなわち、アンカーボルトに引張り力（引抜き力）が作用すると、テーパー部における付着力は弱くなり、引張り力は、主にシャンク部の先端側に設けた定着部に集中的に作用する。これにより、コンクリートの浅い部分（表面側）に破壊に至るような引張り力が作用することがなく、アンカーボルトは、コンクリートに対し定着部の部分でクサビ効果を発揮する。したがって、従来のものに比して浅い埋込み深さで、十分な引張り耐力を発揮させることができる。また、機器・器具（構造物）の支持に有用なシャンク部の靱性が損なわれることはない。
なお、シャンク部のテーパー部は、外周面が凹凸のないものとすることが好ましい。また、シャンク部と定着部とは、一体であってもよいし、別体（ネジ接合等）であってもよい。
【００２２】
本発明の他の先付けアンカー用のアンカーボルトは、コンクリートに定着される先付けアンカー用のアンカーボルトであって、コンクリートから露出する部分に支持・固定対象物用の取付け部を有するシャンク部と、シャンク部の先端側に設けられ、コンクリートに対し定着機能を奏する定着部と、シャンク部が挿通すると共に、コンクリートの表面から奥に向かって延び、先端部が定着部に突き当てられるスリーブ部と、を備えたことを特徴とする。
【００２３】
この構成によれば、シャンク部、定着部およびスリーブ部がコンクリートに埋め込まれた状態で、シャンク部に引張り力（引抜き力）が作用すると、引張り力は、定着部を介してスリーブ部に圧縮力として作用する。この場合、スリーブ部には、コンクリートが付着しており、アンカーボルトは、スリーブ部および定着部の部分で定着機能を発揮する。また、スリーブ部には、定着部を介して先端側から引張り力（圧縮力）が作用するため、引張り力がスリーブ部の基端側に集中的に作用することがなく、コンクリートの浅い部分（表面側）に破壊が生ずることはない。したがって、従来のものに比して浅い埋込み深さで、十分な引張り耐力を発揮させることができる。また、機器・器具（構造物）の支持に有用なシャンク部の靱性が損なわれることはない。
なお、シャンク部と定着部とは、一体であってもよいし、別体（ネジ接合等）であってもよい。また、スリーブ部は、コンクリートに接する外周面が凹凸形状に形成されていることが好ましい。
【００２４】
本発明の他の先付けアンカー用のアンカーボルトは、コンクリートに定着される先付けアンカー用のアンカーボルトであって、コンクリートから露出する部分に支持・固定対象物用の取付け部を有するシャンク部と、シャンク部が挿通すると共に、コンクリートの表面から奥に向かって延び、コンクリートに対し定着機能を奏する筒状のアンカーリング部と、を備え、アンカーリング部は、先端部でシャンク部に接合されていることを特徴とする。
【００２５】
この場合、接合が、ネジ接合および溶着接合のいずれかであることが好ましい。
【００２６】
これらの構成によれば、シャンク部およびアンカーリング部がコンクリートに埋め込まれた状態で、シャンク部に引張り力（引抜き力）が作用すると、引張り力は、接合部分を介してアンカーリング部に圧縮力として作用する。この場合、アンカーリング部には、コンクリートが付着しており、アンカーボルトは、コンクリートに対し定着機能を発揮する。また、アンカーリング部には、接合部分を介して先端側から引張り力（圧縮力）が作用するため、引張り力がアンカーリング部の基端側に集中的に作用することがなく、コンクリートの浅い部分（表面側）に破壊が生ずることはない。したがって、従来のものに比して浅い埋込み深さで、十分な引張り耐力を発揮させることができる。また、機器・器具（構造物）の支持に有用なシャンク部の靱性が損なわれることはない。
なお、アンカーリング部は、コンクリートに接する外周面が凹凸形状に形成されていることが好ましい。
【００２７】
本発明の他の先付けアンカー用のアンカーボルトは、コンクリートに定着される先付けアンカー用のアンカーボルトであって、支持・固定対象物を取り付けるための表面が前記コンクリートから露出するベースプレートと、それぞれの基端側がベースプレートの下面に固着され、相互に離間して配設された複数のシャンク部と、各シャンク部の先端側に設けられ、コンクリートに対し定着機能を奏する複数の定着部と、シャンク部に対するコンクリートの付着力を弱めるために、各シャンク部に設けられた付着弱化部と、を備えたことを特徴とする。
【００２８】
この構成によれば、ベースプレートおよび複数のシャンク部がコンクリートに埋め込まれた状態で、ベースプレートを介して各シャンク部に引張り力（引抜き力）が作用すると、シャンク部に設けた付着弱化部により、引張り力は、主に複数のシャンク部の先端側に設けたそれぞれの定着部に集中的に作用する。このため、コンクリートの浅い部分（表面側）に破壊に至るような引張り力が作用することがなく、アンカーボルトは、コンクリートに対し各定着部の部分でクサビ効果を発揮する。したがって、従来のものに比して浅い埋込み深さで、十分な引張り耐力を発揮させることができる。また、機器・器具（構造物）の支持に有用な各シャンク部の靱性が損なわれることはない。
【００２９】
本発明の他の先付けアンカー用のアンカーボルトは、コンクリートに定着される先付けアンカー用のアンカーボルトであって、コンクリートから露出する部分に支持・固定対象物用の取付け部を有するシャンク部と、内周面にシャンク部が螺合すると共に、コンクリートの表面から奥に向かって延び、コンクリートに対し定着機能を奏する筒状のアンカーリング部と、を備え、アンカーリング部は、引張り破断に至る伸び率が８％以下であることを特徴とする。
【００３０】
この構成によれば、アンカーリング部の引張り破断に至る伸び率が、８％以下であるため、アンカーリング部は、強い引張り力に対しほとんど伸びることがない。このため、アンカーボルトがコンクリートに定着した状態で、シャンク部に引張り力（引抜き力）が作用すると、引張り力は、アンカーリング部の全体に分散して作用する。すなわち、引張り力がアンカーリング部の基端側に集中的に作用することがなく、コンクリートの浅い部分に破壊が生ずることはない。したがって、従来のものに比して浅い埋込み深さで、十分な引張り耐力を発揮させることができる。
なお、この場合のアンカーリング部は、炭素鋼（Ｃ４５Ｃ）やニッケルモリブデン鋼（ＳＮＣＭ４３９）を焼入れしたもの（焼戻しはしない）、析出硬化型ステンレス（ＳＵＳ６３１）、鋳鉄等であることが好ましい。
【００３１】
本発明の他の先付けアンカー用のアンカーボルトは、コンクリートに定着される先付けアンカー用のアンカーボルトであって、コンクリートから露出する部分に支持・固定対象物用の取付け部を有すると共に、少なくともコンクリートに埋め込まれる埋込み部の引張り破断に至る伸び率が８％以下であることを特徴とする。
【００３２】
この構成によれば、少なくともコンクリートに埋め込まれる埋込み部の引張り破断に至る伸び率が、８％以下であるため、埋込み部は、強い引張り力に対しほとんど伸びることがない。このため、アンカーボルトがコンクリートに定着した状態で、引張り力（引抜き力）が作用すると、引張り力は、埋込み部の全体に分散して作用する。すなわち、引張り力が埋込み部の基端側に集中的に作用することがなく、コンクリートの浅い部分に破壊が生ずることはない。したがって、従来のものに比して浅い埋込み深さで、十分な引張り耐力を発揮させることができる。
なお、この場合の埋込み部は、炭素鋼（Ｃ４５Ｃ）やニッケルモリブデン鋼（ＳＮＣＭ４３９）を焼入れしたもの（焼戻しはしない）、析出硬化型ステンレス（ＳＵＳ６３１）、鋳鉄等であることが好ましい。
【図面の簡単な説明】
【００３３】
【図１】第１実施形態に係る先付けアンカーの構造図である。
【図２】第１実施形態の変形例に係る先付けアンカーの構造図である。
【図３】第２実施形態に係る先付けアンカーの構造図である。
【図４】第３実施形態に係る先付けアンカーの構造図である。
【図５】第４実施形態に係る先付けアンカーの構造図である。
【図６】第５実施形態に係る先付けアンカーの構造図である。
【図７】第６実施形態に係る先付けアンカーの構造図である。
【図８】第７実施形態に係る先付けアンカーの構造図である。
【図９】第８実施形態に係る先付けアンカーの構造図である。
【図１０】第９実施形態に係る先付けアンカーの構造図である。
【図１１】第１０実施形態に係る先付けアンカーの構造図である。
【図１２】第１１実施形態に係る先付けアンカーの構造図である。
【発明を実施するための形態】
【００３４】
以下、添付の図面を参照しながら、本発明の一実施形態に係る先付けアンカー用のアンカーボルト（以下、単に「アンカーボルト」と言う。）を適用した先付けアンカーについて説明する。先付けアンカーは、アンカーボルトを型枠に取り付けておいて、コンクリートの打設することでこれに埋め込むものである。本実施形態の先付けアンカーは、コンクリートの浅い部分に生ずる微小な破壊（亀裂）を防止し、コンクリートに本来の支圧強度を発揮させんとするものである。なお、「アンカーボルト」の語は、以下、先付けアンカーにおいて、構造物を支持・固定するためにコンクリートに埋め込まれる部材の総称（ボルトに限定されない）として用いるものとする。
【００３５】
［第１実施形態］
図１は、第１実施形態に係る先付けアンカー１０Ａの構造図である。同図に示すように、先付けアンカー１０Ａは、いわゆる頭付き型のアンカーであるアンカーボルト１１Ａが、予めコンクリート１２に埋め込まれて構成されている。アンカーボルト１１Ａは、コンクリート１２から露出する部分に支持・固定対象物用の取付け部２２を有するシャンク部２１と、シャンク部２１の先端側に設けられ、コンクリート１２に対し定着機能を奏するヘッド部２３（定着部）と、シャンク部２１に対するコンクリート１２の付着力を弱めるために、シャンク部２１の外周面に設けられた付着弱化層２４（付着弱化部）と、を備えている。そして、シャンク部２１とヘッド部２３とは、スチールやステンレススチール等で一体に形成されている。
【００３６】
ヘッド部２３は、扁平な円柱状に形成されている。言うまでもないが、ヘッド部２３は、コンクリート１２の表面と平行な面内における断面積が、シャンク部２１より十分に大きく形成されている。すなわち、アンカーボルト１１Ａの引張り耐力の主体は、このヘッド部２３が受け持っている。
【００３７】
なお、ヘッド部２３は、両角部を面取り形状としたものであってもよい。また、ヘッド部２３は、その平面形状が、円形の他、三角形、四角形、多角形等であってもよく、シャンク部２１よりも断面積が大きければその形状は限定されるものではない。
【００３８】
シャンク部２１は、ヘッド部２３よりも十分に細径に形成されている。シャンク部２１は、ヘッド部２３に連なり、コンクリート１２に埋め込まれる先端側の埋込み部２６と、埋込み部２６に連なり、コンクリート１２から外部に突出する基端側の取付け部２２と、で棒状に一体に形成されている。取付け部２２は、外周面に雄ネジが形成されており、この雄ネジに螺合するナット（図示省略）により、支持・固定対象物がアンカーボルト１１Ａ（シャンク部２１）に固定される。なお、アンカーボルト１１Ａの径（呼び径）は、このシャンク部２１の径となる。
【００３９】
埋込み部２６は、外周面に凹凸のない丸棒状に形成されている。そして、埋込み部２６の長さが、いわゆるアンカーボルト１１Ａの埋込み深さ（埋込み長さ）となる。なお、シャンク部２１とヘッド部２３とは、一体に形成されるが、丸棒を切削加工したもの、転造したもの、ヘッド部２３をシャンク部２１に溶着したもの等、であることが好ましい。
【００４０】
付着弱化層２４は、シャンク部２１における埋込み部２６に設けられている。付着弱化層２４は、シャンク部２１（埋込み部２６）に対するコンクリート１２の付着力を弱めるものであり、フッ素樹脂層で構成されている。実施形態のものは、シャンク部２１の埋込み部２６（の外周面）に対し、いわゆるフッ素加工することにより構成されている。この場合、埋込み部２６は、コンクリート１２の表面から数ミリ程度露出する長さとしているおり、これに合わせて付着弱化層２４も、コンクリート１２の表面から数ミリ程度露出するようにしている。
【００４１】
付着弱化層２４は、埋込み部２６に対するコンクリート１２の付着力を弱め、アンカーボルト１１Ａに引張り力（引抜き力）が作用したときに、この引張り力が主にヘッド部２３に集中して作用することを意図したものである。このため、付着弱化層２４は、上記のフッ素樹脂層の他、離型剤層、フッ素樹脂層、メッキ層、油膜層、ワックス層および塗膜層等であってもよい。もっとも、運搬時の破損等を考慮すれば、シャンク部２１に対し付着力の強い、フッ素樹脂層、離型剤層或いはメッキ層とすることが好ましい。なお、付着弱化層２４の機能である「付着力を弱める」は、「付着力をゼロまで弱める」を含む概念である。
【００４２】
言うまでもないが、先付けアンカー１０Ａの施工では、型枠に形成した小穴から取付け部２２を外側に吐出させたアンカーボルト１１Ａを、金具等で型枠や鉄筋に固定しておいて、コンクリート１２を打設する。もっとも、コンクリート１２の上面にアンカーボルト１１Ａを設けるものにおいては、コンクリート１２を打設した直後（硬化する前）に、アンカーボルト１１Ａをコンクリート１２に埋め込むようにしてもよい。
【００４３】
［第１実施形態の変形例］
次に、図２を参照して、第１実施形態とヘッド部２３の形態が異なるアンカーボルト１１Ａの変形例について説明する。この変形例では、ヘッド部２３がシャンク部２１の先端に螺合するナットで構成されている。
【００４４】
このアンカーボルト１１Ａでは、シャンク部２１（埋込み部２６）の先端部に、短くヘッド用雄ネジ部２８が形成されている。一方、ヘッド部２３は、通常のナットで構成されている。この場合、シャンク部２１の先端部にヘッド部２３（ナット）を螺合し締め付けることにより、アンカーボルト１１Ａが構成されている。この変形例においても、埋込み部２６のヘッド用雄ネジ部２８を除く部分には、付着弱化層２４が設けられている。もっとも、付着弱化層２４は、ヘッド用雄ネジ部２８の部分にも設けられていても構わない。
【００４５】
なお、ヘッド部２３は、袋ナットであってもよいし、内周面に雌ネジを形成した単なる雌ネジ部材（平面形状は問わない）であってもよい。また、ヘッド部２３を、いわゆるダブルナットで構成してもよい。さらに、このヘッド部２３は、以降の他の実施形態のヘッド部２３にも適用できることは、言うまでもない。
【００４６】
以上のように、第１実施形態の先付けアンカー１０Ａによれば、シャンク部２１の埋込み部２６に、コンクリート１２の付着力を弱める付着弱化層２４が設けられているため、アンカーボルト１１Ａに引張り力（引抜き力）が作用すると、この引張り力は、主にヘッド部２３に集中的に作用する。このため、コンクリート１２の浅い部分に破壊（重畳破壊）に至るような引張り力が作用することがなく、アンカーボルト１１Ａは、コンクリート１２に対しヘッド部２３の部分でクサビ効果を発揮する。したがって、従来のものに比して浅い埋込み深さで、十分な引張り耐力を発揮させることができる。
【００４７】
また、シャンク部２１は、コンクリート１２の付着力の影響を受け難いため、引張り力に対し自由な伸びが許容される。例えば、シャンク部２１の全体長さが１００ｍｍ、そのうちの取付け部２２の長さが１０ｍｍ、破断に至る伸び率を２０％とすると、付着力の影響を受ける従来のものは、引っ張りに対し１０ｍｍ（取付け部２２）の２０％の２ｍｍの伸びで破断する。これに対し、実施形態のものは、１００ｍｍ（シャンク部２１）の２０％の２０ｍｍの伸びで破断することになる。したがって、地震動のように繰り返し強い引張り力が作用する場合には、従来のものでは簡単に破断してしまうが、実施形態のもの破断を回避することができ、振動の吸収等を含め、シャンク部２１の伸び（靱性）を生かすことができる。
【００４８】
なお、実施形態の付着弱化層２４は、埋込み部２６のほぼ全域に設けられているが、必ずしも全域でなくてもよい。上述のように、本発明は、コンクリート１２の浅い部分での微小な破壊を回避せんとするものであり、この微小な破壊を回避可能である限り、付着弱化層２４におけるコンクリート１２の表面からの寸法は、上記のものより短くてもよい。
【００４９】
［第２実施形態］
次に、図３を参照して、第２実施形態に係る先付けアンカー１０Ｂについて説明する。なお、第２実施形態の説明では、主に第１実施形態と異なる部分について説明を進める。この実施形態では、上記の付着弱化層２４に代えて、シャンク部２１の外周面を覆うように被覆体３１（付着弱化部）が設けられている。
【００５０】
すなわち、本実施形態のアンカーボルト１１Ｂは、シャンク部２１と、ヘッド部２３と、シャンク部２１に対するコンクリート１２の付着力を弱めるために、シャンク部２１を覆う被覆体３１と、を備えている。この場合、被覆体３１は、シャンク部２１における埋込み部２６のほぼ全域に覆っている。そして、この場合も、被覆体３１は、埋込み部２６に合わせてコンクリート１２の表面から数ミリ程度露出するようにしている。
【００５１】
被覆体３１は、シャンク部２１（埋込み部２６）の径に対応する筒状に形成されており、実施形態のものは、例えば薄手の熱収縮チューブで構成されている。被覆体３１には、シャンク部２１（埋込み部２６）に対するコンクリート１２の付着力を弱める機能が求められる。このため、被覆体３１には、スリーブ状部材やテープ状部材とすることが好ましい。
【００５２】
スリーブ状部材は、アンカーボルト１１Ｂに作用する引張り力に対し容易に変形或いは破壊するものであることが好ましく、上記の熱収縮チューブの他、剛性の低い各種のチューブや円筒状のフィルム等であることが好ましい。特に、チューブやフィルムの材料として、ポリエチレン、ポリプロピレン、ナイロン、フッ素樹脂等の樹脂材料とすることが好ましい。同様に、テープ状部材も、アンカーボルト１１Ｂに作用する引張り力に対し容易に変形或いは破壊するものであることが好ましく、ビニールテープやマスキングテープ等の各種の粘着テープであることが好ましい。
【００５３】
以上のように、第２実施形態の先付けアンカー１０Ｂによれば、シャンク部２１が、コンクリート１２の付着力を弱める被覆体３１で覆われているため、アンカーボルト１１Ｂに引張り力（引抜き力）が作用すると、この引張り力は、主にヘッド部２３に集中的に作用する。このため、コンクリート１２の浅い部分に破壊（重畳破壊）に至るような引張り力が作用することがなく、アンカーボルト１１Ｂは、コンクリート１２に対しヘッド部２３の部分でクサビ効果を発揮する。したがって、従来のものに比して浅い埋込み深さで、十分な引張り耐力を発揮させることができる。また、シャンク部２１は、付着力の影響を受け難いため、その伸び（靱性）を構造物の支持等に生かすことができる。
【００５４】
なお、実施形態の被覆体３１は、埋込み部２６のほぼ全域を覆っているが、この場合も、第１実施形態と同様に、被覆体３１におけるコンクリート１２の表面からの寸法は、上記のものより短くてもよい。また、ヘッド部２３は、シャンク部２１と別体のナット等であってもよい。
【００５５】
［第３実施形態］
次に、図４を参照して、第３実施形態に係る先付けアンカー１０Ｃについて説明する。なお、第３実施形態の説明では、主に第１実施形態と異なる部分について説明を進める。この実施形態の先付けアンカー１０Ｃのアンカーボルト１１Ｃは、いわゆるフック付き型アンカーであり、上記のヘッド部２３に代えて、折曲げ部３３（定着部）を備えている。
【００５６】
すなわち、本実施形態のアンカーボルト１１Ｃは、シャンク部２１と、シャンク部２１の先端部から「Ｕ字」状に延びる折曲げ部３３と、シャンク部２１の外周面に設けられた付着弱化層２４と、を備えている。また、シャンク部２１と折曲げ部３３とは、スチールやステンレススチール等で一体に形成されている。本実施形態のアンカーボルト１１Ｃは、例えば棒材の一端に雄ネジ（取付け部２２）を形成すると共に、他端を「Ｕ」字状に折り曲げる（折曲げ部３３）ことにより、形成されている。そして、アンカーボルト１１Ｃの引張り耐力の主体は、この折曲げ部３３が受け持っている。
【００５７】
以上のように、第３実施形態の先付けアンカー１０Ｃによれば、シャンク部２１に、コンクリート１２の付着力を弱める付着弱化層２４が設けられているため、第１実施形態と同様に、コンクリート１２の浅い部分に破壊（重畳破壊）に至るような引張り力が作用することがなく、アンカーボルト１１Ｃは、コンクリート１２に対し折曲げ部３３の部分でクサビ効果を発揮する。したがって、従来のものに比して浅い埋込み深さで、十分な引張り耐力を発揮させることができる。また、シャンク部２１は、付着力の影響を受け難いため、その伸び（靱性）を構造物の支持等に  生かすことができる。
【００５８】
なお、折曲げ部３３は、図４において仮想線で示すように、シャンク部２１から「Ｌ」字状に延びるものであってもよい。また、折曲げ部３３は、外周面に凹凸を有するものであってもよい。さらに、付着弱化層２４に代えて、上記の被覆体３１を設けるものであってもよい。
【００５９】
［第４実施形態］
次に、図５を参照して、第４実施形態に係る先付けアンカー１０Ｄについて説明する。なお、第４実施形態の説明では、主に第１実施形態と異なる部分について説明を進める。この実施形態のアンカーボルト１１Ｄは、いわゆるインサートで構成されている。
【００６０】
すなわち、本実施形態のアンカーボルト１１Ｄは、上記のシャンク部２１としてのインサート本体３５と、インサート本体３５の先端部に設けられたヘッド部２３と、インサート本体３５の外周面に設けられた付着弱化層２４と、を備えている。そして、インサート本体３５とヘッド部２３とは、スチールやステンレススチール等で一体に形成されている。
【００６１】
インサート本体３５は、円筒状に形成されており、その内周面には取付け部２２である雌ネジ部３６が形成されている。この場合、インサート本体３５の雌ネジ部３６には、ボルト（図示省略）が螺合し、このボルトにより、支持・固定対象物がアンカーボルト１１Ｄ（インサート本体３５）に固定される。なお、アンカーボルト１１Ｄの径（呼び径）は、この雌ネジ部３６の径となる。
【００６２】
また、この場合のヘッド部２３は、扁平な円錐台形状に形成されている。そして、本実施形態のインサート形式のアンカーボルト１１Ｄは、インサート本体３５の基端がコンクリート１２の表面と面一となるように、コンクリート１２に埋め込まれる。そして、この場合も、インサート本体３５には、コンクリート１２の付着力を弱めるべく付着弱化層２４が設けられている。
【００６３】
以上のように、第４実施形態の先付けアンカー１０Ｄによれば、インサート本体３５に、コンクリート１２の付着力を弱める付着弱化層２４が設けられているため、第１実施形態と同様に、コンクリート１２の浅い部分に破壊（重畳破壊）に至るような引張り力が作用することがなく、アンカーボルト１１Ｄは、コンクリート１２に対しヘッド部２３の部分でクサビ効果を発揮する。したがって、従来のものに比して浅い埋込み深さで、十分な引張り耐力を発揮させることができる。また、インサート本体３５は、付着力の影響を受け難いため、その伸び（靱性）を構造物の支持等に生かすことができる。
【００６４】
なお、インサート本体３５とヘッド部２３とは、別体（ネジ接合）ではあってもよい。また、付着弱化層２４に代えて、上記の被覆体３１を設けるものであってもよい。さらに、内部コーン打込み式や本体打込み式の金属拡張アンカーを、打ち込んでその拡張部をヘッド部２３とし、インサートに転用することも可能である。
【００６５】
［第５実施形態］
次に、図６を参照して、第５実施形態に係る先付けアンカー１０Ｅについて説明する。なお、第５実施形態の説明では、主に第１実施形態と異なる部分について説明を進める。この実施形態のアンカーボルト１１Ｅは、いわゆるシアプレート３８（定着金物）を備えている。
【００６６】
すなわち、実施形態のアンカーボルト１１Ｅは、相互に離間して配設された２本のシャンク部２１と、２本のシャンク部２１の先端側に取り付けられた単一のシアプレート３８と、各シャンク部２１（埋込み部２６）の外周面に設けられた付着弱化層２４と、を備えている。シアプレート３８には、２本のシャンク部２１に対応して２つのボス部３９が設けられており、シャンク部２１は、このボス部３９に螺合するようにしてシアプレート３８に取り付けられている。そして、この場合も、各シャンク部２１およびシアプレート３８は、スチールやステンレススチール等で形成されている。
【００６７】
２本のシャンク部２１は、支持・固定対象物側の取付けプレート（図示省略）に設けた２箇所の貫通孔に対応しており、各シャンク部２１の取付け部２２に螺合したナット（図示省略）により、取付けプレートを介して支持・固定対象物がアンカーボルト１１Ｅ（２本のシャンク部２１）に固定される。シアプレート３８の平面形状は任意であるが、実施形態のものは長方形に形成されている。そして、この場合も、各シャンク部２１には、コンクリート１２の付着力を弱めるべく、付着弱化層２４が設けられている。
【００６８】
以上のように、第５実施形態の先付けアンカー１０Ｅによれば、２本のシャンク部２１に、コンクリート１２の付着力を弱める付着弱化層２４がそれぞれ設けられているため、第１実施形態と同様に、コンクリート１２の浅い部分に破壊（重畳破壊）に至るような引張り力が作用することがなく、アンカーボルト１１Ｅは、コンクリート１２に対しシアプレート３８の部分でクサビ効果を発揮する。したがって、従来のものに比して浅い埋込み深さで、十分な引張り耐力を発揮させることができる。また、各シャンク部２１は、付着力の影響を受け難いため、その伸び（靱性）を構造物の支持等に生かすことができる。
【００６９】
なお、２本のシャンク部２１とシアプレート３８とは、一体に形成されていてもよい。また、シャンク部２１は３本以上であってもよい。さらに、付着弱化層２４に代えて、上記の被覆体３１を設けるものであってもよい。
【００７０】
［第６実施形態］
次に、図７を参照して、第６実施形態に係る先付けアンカー１０Ｆについて説明する。なお、第６実施形態の説明では、主に第１実施形態と異なる部分について説明を進める。この実施形態では、アンカーボルト１１Ｆに上記の付着弱化層２４や被覆体３１は設けられておらず、アンカーボルト１１Ｆの形状自体がコンクリート１２の付着力を弱めるものとなっている。
【００７１】
具体的には、アンカーボルト１１Ｆは、シャンク部２１とヘッド部２３とを備え、シャンク部２１の埋込み部２６Ａが、コンクリート１２の表面に対応する位置からヘッド部２３に向かって先細りのテーパー形状に形成されている。すなわち、埋込み部２６Ａが請求項に言う「テーパー部」を構成する一方、ヘッド部２３は、埋込み部２６Ａに連なると共に埋込み部２６Ａに対し逆テーパーとなる逆テーパー部４１と、逆テーパー部４１に連なる太径のヘッド本体４２と、で構成されている。
【００７２】
この場合も、シャンク部２１とヘッド部２３とは、スチールやステンレススチール等で一体に形成されている。そして、埋込み部２６Ａと逆テーパー部４１との境界部分となるネック部４３は、取付け部２２と同径に形成されている。
【００７３】
以上のように、第６実施形態の先付けアンカー１０Ｆによれば、シャンク部２１の埋込み部２６Ａがヘッド部２３に向かって先細りのテーパー形状に形成されているため、シャンク部２１に引張り力が作用すると、埋込み部２６Ａにコンクリート１２から離れる（剥がれる）方向の力が作用する。このため、埋込み部２６Ａに対するコンクリート１２の付着力が弱くなる。
【００７４】
これにより、引張り力は、主にヘッド部２３に集中的に作用する。このため、コンクリート１２の浅い部分に破壊（重畳破壊）に至るような引張り力が作用することがなく、アンカーボルト１１Ｆは、コンクリート１２に対しヘッド部２３の部分でクサビ効果を発揮する。したがって、従来のものに比して浅い埋込み深さで、十分な引張り耐力を発揮させることができる。また、シャンク部２１は、付着力の影響を受け難いため、その伸び（靱性）を構造物の支持等に生かすことができる。
【００７５】
［第７実施形態］
次に、図８を参照して、第７実施形態に係る先付けアンカー１０Ｇについて説明する。なお、第７実施形態の説明では、主に第１実施形態と異なる部分について説明を進める。この実施形態のアンカーボルト１１Ｇでは、シャンク部２１に被せるようにスリーブ部４５が設けられている。
【００７６】
すなわち、このアンカーボルト１１Ｇは、シャンク部２１と、ヘッド部２３と、シャンク部２１が挿通すると共に、先端部がヘッド部２３に突き当てられるスリーブ部４５と、を備えている。この場合も、シャンク部２１とヘッド部２３とは、スチールやステンレススチール等で一体に形成され、これらとは別体となるスリーブ部４５も、スチールやステンレススチール等で形成されている。
【００７７】
スリーブ部４５は、シャンク部２１の埋込み部２６に対応するように、すなわちコンクリート１２の表面に対応する位置からヘッド部２３に向かって延びている。この場合も、スリーブ部４５は、コンクリート１２の表面から数ミリ程度露出することが好ましい。
【００７８】
スリーブ部４５の内周面は、シャンク部２１が挿通するようにシャンク部２１とほぼ同径に形成されている。また、スリーブ部４５の内周面およびシャンク部２１（埋込み部２６）の外周面は、凹凸の無い平滑な面で形成されている。一方、コンクリート１２に接するスリーブ部４５の外周面４５ａは、凹凸形状に形成されている。この場合の凹凸形状は、アンカーボルト１１Ｇの引張り耐力に寄与するものであればよく、例えば異形鉄筋のような凹凸であってもよいし、全ネジのような凹凸であったてもよい。そして、スリーブ部４５は、ヘッド部２３に対し溶着或いは接着により固定しておくことが好ましい。
【００７９】
以上のように、第７実施形態の先付けアンカー１０Ｇによれば、シャンク部２１に引張り力（引抜き力）が作用すると、引張り力は、ヘッド部２３を介してスリーブ部４５に圧縮力として作用する。この場合、スリーブ部４５には、コンクリート１２が付着しており、アンカーボルト１１Ｇの引張り耐力は、ヘッド部２３とスリーブ部４５とが受け持つことになる。
【００８０】
また、スリーブ部４５には、ヘッド部２３を介して先端側から引張り力（圧縮力）が作用するため、引張り力がスリーブ部４５の基端側に集中的に作用することがなく、コンクリート１２の浅い部分に破壊（重畳破壊）が生ずることはない。したがって、従来のものに比して浅い埋込み深さで、十分な引張り耐力を発揮させることができる。また、シャンク部２１は、付着力の影響を受け難いため、その伸び（靱性）を構造物の支持等に生かすことができる。
【００８１】
［第８実施形態］
次に、図９を参照して、第８実施形態に係る先付けアンカー１０Ｈについて説明する。なお、第８実施形態の説明では、主に第１実施形態と異なる部分について説明を進める。この実施形態のアンカーボルト１１Ｈは、いわゆるストレート型アンカーであり、そのシャンク部２１に被せるようにアンカーリング部４７が設けられている。
【００８２】
このアンカーボルト１１Ｈは、取付け部２２を有するシャンク部２１と、シャンク部２１が挿通すると共に、コンクリート１２の表面から奥に向かって延びる筒状のアンカーリング部４７と、を備えており、アンカーリング部４７は、先端部でシャンク部２１に接合されている。シャンク部２１（埋込み部２６）の先端部には、接合用雄ネジ部４８が形成される一方、アンカーリング部４７の先端内周面に、接合用雄ネジ部４８が螺合する接合用雌ネジ部４９が形成される。すなわち、アンカーリング部４７とシャンク部２１とは、相互の先端部同士がネジ接合により接合されている。
【００８３】
この接合状態で、アンカーリング部４７は、シャンク部２１の埋込み部２６に対応するように、コンクリート１２の表面から奥に向かって延びている。そして、この場合も、アンカーリング部４７は、コンクリート１２の表面から数ミリ程度露出することが好ましい。
【００８４】
アンカーリング部４７の内周面は、シャンク部２１が挿通するようにシャンク部２１とほぼ同径に形成されている。また、アンカーリング部４７の内周面およびシャンク部２１（埋込み部２６）の外周面は、接合用雌ネジ部４９および接合用雄ネジ部４８の部分を除き、凹凸の内ない平滑な面で形成されている。一方、コンクリート１２に接するアンカーリング部４７の外周面４７ａは、凹凸形状に形成されている。この場合の凹凸形状は、アンカーボルト１１Ｈの引張り耐力に寄与するものであればよく、例えば異形鉄筋のような凹凸であってもよいし、全ネジのような凹凸であってもよい。
【００８５】
以上のように、第８実施形態の先付けアンカー１０Ｈによれば、シャンク部２１に引張り力（引抜き力）が作用すると、引張り力は、接合部分を介してアンカーリング部４７に圧縮力として作用する。この場合、アンカーリング部４７は、コンクリート１２が付着しており、アンカーボルト１１Ｈの引張り耐力は、このアンカーリング部４７が受け持つことになる。
【００８６】
また、アンカーリング部４７には、接合部分を介して先端側から引張り力（圧縮力）が作用するため、引張り力がアンカーリング部４７の基端側に集中的に作用することがなく、コンクリート１２の浅い部分に破壊（重畳破壊）が生ずることはない。したがって、従来のものに比して浅い埋込み深さで、十分な引張り耐力を発揮させることができる。また、シャンク部２１は、付着力の影響を受け難いため、その伸び（靱性）を構造物の支持等に生かすことができる。
【００８７】
なお、アンカーリング部４７とシャンク部２１とは、相互の先端部同士が溶接により接合されているものであってもよい。また、スリーブ打込み式の金属拡張アンカーを、打ち込んでその拡張部を拡張しておいて、アンカーボルト１１Ｈとして転用することも可能である。この場合、拡張部を拡張させたスリーブがアンカーリング部４７を構成し、テーパー付きボルトがシャンク部２１を構成し、テーパー付きボルトのテーパー部とスリーブの拡張部とが圧接により接合された状態となる。
【００８８】
［第９実施形態］
次に、図１０を参照して、第９実施形態に係る先付けアンカー１０Ｉについて説明する。なお、第９実施形態の説明では、主に第１実施形態と異なる部分について説明を進める。この実施形態のアンカーボルト１１Ｉでは、支持・固定対象物を溶接等により取り付けるためのベースプレート５１が設けられている。
【００８９】
すなわち、このアンカーボルト１１Ｉは、表面がコンクリート１２から露出するように埋め込まれたベースプレート５１と、それぞれの基端側がベースプレート５１の下面に固着され、相互に離間して配設された２本のシャンク部２１と、各シャンク部２１の先端側に設けられたヘッド部２３と、各シャンク部２１に設けられた付着弱化層２４と、を備えている。
【００９０】
ベースプレート５１は、平面形状が長方形に形成され、その表面がコンクリート１２の表面と面一になるように（露出する）、コンクリート１２に埋め込まれている。この場合、支持・固定対象物は、ベースプレート５１上の任意の位置に、溶接により取り付けられる。そして、ベースプレート５１と、２本のシャンク部２１と、２つのヘッド部２３とは、スチールやステンレススチール等で一体に形成されている。そして、この場合も、各シャンク部２１には、コンクリート１２の付着力を弱めるべく付着弱化層２４が設けられている。
【００９１】
以上のように、第９実施形態の先付けアンカー１０Ｉによれば、２本のシャンク部２１に、コンクリート１２の付着力を弱める付着弱化層２４がそれぞれ設けられているため、第１実施形態と同様に、コンクリート１２の浅い部分に破壊（重畳破壊）に至るような引張り力が作用することがなく、アンカーボルト１１Ｉは、コンクリート１２に対し各ヘッド部２３の部分でクサビ効果を発揮する。したがって、従来のものに比して浅い埋込み深さで、十分な引張り耐力を発揮させることができる。また、各シャンク部２１は、付着力の影響を受け難いため、その伸び（靱性）を生かすことができる。
【００９２】
なお、ベースプレート５１の平面形状は、必ずしも長方形である必要はなく、任意である。また、付着弱化層２４に代えて、上記の被覆体３１を設けるものであってもよい。
【００９３】
［第１０実施形態］
次に、図１１を参照して、第１０実施形態に係る先付けアンカー１０Ｊについて説明する。なお、第１０実施形態の説明では、主に第１実施形態と異なる部分について説明を進める。この実施形態のアンカーボルト１１Ｊでは、そのアンカーリング部４７Ａが引っ張りに対し伸びの少ない金属材料で構成されている。
【００９４】
このアンカーボルト１１Ｊは、取付け部２２を有するシャンク部２１と、内周面にシャンク部２１が螺合すると共に、コンクリート１２の表面から奥に向かって延びる筒状のアンカーリング部４７Ａと、を備えている。シャンク部２１は、外周面の全域に雄ネジを形成した、いわゆる全ネジボルトで構成されている。アンカーリング部４７Ａは、その内周面の全域に雌ネジが形成され、シャンク部２１の埋込み部２６に対応する部分に螺合している。また、コンクリート１２に接するアンカーリング部４７Ａの外周面４７ａは、第８実施形態と同様に凹凸形状に形成されている。
【００９５】
そして、本実施形態のアンカーリング部４７Ａは、その引張り破断に至る伸び率が８％以下である、金属材料で構成されている。具体的には、一般的なアンカー用鋼材の引張り破断に至る伸び率２０〜４０％であるところ、このアンカーリング部４７Ａ（金属材料）の引張り破断に至る伸び率が８％以下であり、ほとんど伸びのないものとなっている。例えば、アンカーリング部４７Ａは、炭素鋼（Ｃ４５Ｃ）やニッケルモリブデン鋼（ＳＮＣＭ４３９）を焼入れしたもの（焼戻しはしない）、析出硬化型ステンレス（ＳＵＳ６３１）、鋳鉄等のであることが好ましい。
【００９６】
以上のように、第１０実施形態の先付けアンカー１０Ｊによれば、アンカーリング部４７Ａの引張り破断に至る伸び率が８％以下であるため、アンカーリング部４７Ａは、強い引張り力に対しほとんど伸びることがない。このため、アンカーボルト１１Ｊがコンクリート１２に定着した状態で、シャンク部２１に引張り力（引抜き力）が作用すると、引張り力は、アンカーリング部４７Ａの全体に分散して作用する。すなわち、引張り力がアンカーリング部４７Ａの基端側に集中的に作用することがなく、コンクリート１２の浅い部分に破壊（重畳破壊）が生ずることはない。したがって、従来のものに比して浅い埋込み深さで、十分な引張り耐力を発揮させることができる。
【００９７】
なお、実施形態のものは、シャンク部２１がアンカーリング部４７Ａの全域に螺合しているが、アンカーリング部４７Ａの基端側（シャンク部１５の径の１〜３倍程度）にのみ螺合するものであってもよい。
【００９８】
［第１１実施形態］
次に、図１２を参照して、第１１実施形態に係る先付けアンカー１０Ｋについて説明する。なお、第１１実施形態の説明では、主に第１実施形態と異なる部分について説明を進める。この実施形態のアンカーボルト１１Ｋは、いわゆるストレート型アンカーであり、アンカーボルト１１Ｋ自体が伸びの少ない金属材料で構成されている。
【００９９】
このアンカーボルト１１Ｋは、埋込み部２６と取付け部２２とで一体に形成され、埋込み部２６の外周面２６ａは凹凸形状に形成されている。また、アンカーボルト１１Ｋは、その引張り破断に至る伸び率が８％以下である、金属材料で構成されている。この場合も、アンカーボルト１１Ｋは、炭素鋼（Ｃ４５Ｃ）やニッケルモリブデン鋼（ＳＮＣＭ４３９）を焼入れしたもの（焼戻しはしない）、析出硬化型ステンレス（ＳＵＳ６３１）、鋳鉄等であることが好ましい。なお、炭素鋼（Ｃ４５Ｃ）やニッケルモリブデン鋼（ＳＮＣＭ４３９）において、その支持ネジ部３２は焼戻しを行って、埋込み部３１のみ伸び率が８％以下としてもよい。
【０１００】
以上のように、第１２実施形態の先付けアンカー１０Ｋによれば、アンカーボルト１１Ｋの引張り破断に至る伸び率が８％以下であるため、アンカーボルト１１Ｋは、強い引張り力に対しほとんど伸びることがない。このため、アンカーボルト１１Ｋがコンクリート１２に定着した状態で、引張り力（引抜き力）が作用すると、引張り力は、コンクリート１２に位置する埋込み部２６の全体に分散して作用する。すなわち、引張り力が埋込み部２６の基端側に集中的に作用することがなく、コンクリート１２の浅い部分に破壊（重畳破壊）が生ずることはない。したがって、従来のものに比して浅い埋込み深さで、十分な引張り耐力を発揮させることができる。
【符号の説明】
【０１０１】
１０Ａ，１０Ｂ，１０Ｃ，１０Ｄ，１０Ｅ，１０Ｆ，１０Ｇ，１０Ｈ，１０Ｉ，１０Ｊ，１０Ｋ…先付けアンカー、１１Ａ，１１Ｂ，１１Ｃ，１１Ｄ，１１Ｅ，１１Ｆ，１１Ｇ，１１Ｈ，１１Ｉ，１１Ｊ，１１Ｋ…アンカーボルト、１２…コンクリート、２１…シャンク部、２２…取付け部、２３…ヘッド部、２４…付着弱化層、２６，２６Ａ…埋込み部、３１…被覆部、３３…折曲げ部、３５…インサート本体、３６…雌ネジ部、３８…シアプレート、４５…スリーブ部、４５ａ…外周面、４７，４７Ａ…アンカーリング部、４７ａ…外周面、５１…ベースプレート
【図１】
2018021433.tif 000003
【図２】
2018021433.tif 000004
【図３】
2018021433.tif 000005
【図４】
2018021433.tif 000006
【図５】
2018021433.tif 000007
【図６】
2018021433.tif 000008
【図７】
2018021433.tif 000009
【図８】
2018021433.tif 000010
【図９】
2018021433.tif 000011
【図１０】
2018021433.tif 000012
【図１１】
2018021433.tif 000013
【図１２】
2018021433.tif 000014